(57)【要約】      （修正有）【課題】靴を履いたときに靴によって隠されるタイプの靴下でありながら、離脱しにくい靴下を提供する。【解決手段】着用者の足裏を覆う足裏部２と、着用者のつま先を覆うつま先部３と、着用者の踝を露出させつつ着用者の踵を覆う踵部４と、着用者の足Ｆにおける踝下方の左右側部をそれぞれ覆う第１及び第２側部５１，５２と、を備え、着用時に伸長して着用者の足Ｆに密着する靴下１である。踵部４の内側面には、粘弾性樹脂で形成された第１滑止め部６１が塗着されている。また、第１及び第２側部５１，５２のそれぞれの内側面には、粘弾性樹脂で形成された第２及び第３滑止め部６２，６３が塗着されている。【選択図】図２
0003194695.tif 000002
【実用新案登録請求の範囲】
【請求項１】
着用者の足裏を覆う足裏部と、前記着用者のつま先を覆うつま先部と、前記着用者の踝を露出させつつ前記着用者の踵を覆う踵部と、前記着用者の足における踝下方の左右側部をそれぞれ覆う第１及び第２側部と、を備え、着用時に伸長して前記着用者の前記足に密着する靴下であって、
前記踵部の内側面には、粘弾性樹脂で形成された第１滑止め部が塗着され、
前記第１及び第２側部のそれぞれの内側面には、粘弾性樹脂で形成された第２及び第３滑止め部が塗着されている
ことを特徴とする靴下。
【請求項２】
前記第２及び第３滑止め部のうち少なくとも一方は、前記着用者の前記踝の下方に相当する位置に塗着されている
ことを特徴とする請求項１に記載の靴下。
【請求項３】
前記第２及び第３滑止め部のうち少なくとも一方は、前記足裏部に及ぶように塗着されている
ことを特徴とする請求項２に記載の靴下。
【請求項４】
前記つま先部は、前記着用者の親指を収容する第１つま先部と、前記着用者の残りの指を収容する第２つま先部と、を含む
ことを特徴とする請求項１ないし３のいずれかに記載の靴下。
【考案の詳細な説明】
【技術分野】
【０００１】
本発明は、靴を履いたときに靴によって隠されるタイプの靴下に関する。
【背景技術】
【０００２】
カバーソックス、フットカバーなどと称される、靴を履いたときに靴によって隠されるタイプの靴下が知られている。かかるタイプの靴下は、一般的な靴下よりも伸縮性に富むように作製されるとともに、着用時において伸長して着用者の足に密着するように着用者の足のサイズよりも小さく設計されている。かかるタイプの靴下は、踵部を着用者の踵に引っ掛けるようにして着用者の足に装着される。そのため、着用者が靴を履いて歩行すること等によって靴下の踵部と靴の踵部とにズレが生じると、靴下の踵部が着用者の足裏の方向に移動し、結果として靴下が意図せず着用者の足から離脱することがある。
【０００３】
そのため、例えば、踵部の内側面に滑止めのための樹脂が塗布されている靴下が知られている（特許文献１，２）。
【先行技術文献】
【特許文献】
【０００４】
【特許文献１】特開平１０−１４０４０３号公報
【特許文献２】実用新案登録第３１８３１０９号公報
【考案の概要】
【考案が解決しようとする課題】
【０００５】
しかしながら、踵部の内側面に樹脂を塗布しただけでは、上述したタイプの靴下が離脱することを十分に阻止することはできない。
【０００６】
そこで、本考案は、靴を履いたときに靴によって隠されるタイプの靴下でありながら、離脱しにくい靴下を提供することを目的とする。
【課題を解決するための手段】
【０００７】
前述した課題を解決する主たる本考案は、着用者の足裏を覆う足裏部と、前記着用者のつま先を覆うつま先部と、前記着用者の踝を露出させつつ前記着用者の踵を覆う踵部と、前記着用者の足における踝下方の左右側部をそれぞれ覆う第１及び第２側部と、を備え、着用時に伸長して前記着用者の前記足に密着する靴下であって、前記踵部の内側面には、粘弾性樹脂で形成された第１滑止め部が塗着され、前記第１及び第２側部のそれぞれの内側面には、粘弾性樹脂で形成された第２及び第３滑止め部が塗着されている。
【０００８】
本考案の他の特徴については、添付図面及び本明細書の記載により明らかとなる。
【考案の効果】
【０００９】
本考案によれば、靴を履いたときに靴によって隠されるタイプの靴下でありながら、離脱しにくい靴下を提供することができる。
【図面の簡単な説明】
【００１０】
【図１】本考案の実施形態における靴下を示す平面図である。
【図２】本考案の実施形態における靴下を示す斜視図である。
【考案を実施するための形態】
【００１１】
本明細書および添付図面の記載により、少なくとも以下の事項が明らかとなる。
【００１２】
図１及び図２を参照して、本考案の好適な実施形態における靴下を説明する。図１及び図２はそれぞれ、本実施形態における靴下の平面図及び斜視図であり、図２は、着用された状態の靴下を立体的に示している。なお、本実施形態において１足の靴下は左右対称であるので、図では、左側の靴だけを示している。
＜靴下の構成＞  
靴下１は、着用時に伸長して着用者の踝より下の下足部に密着するタイプの靴下であり、図１に示すように、足裏部２と、つま先部３と、踵部４と、第１及び第２側部５（５１，５２）と、を備えている。足裏部２、つま先部３、踵部４、第１及び第２側部５１，５２における上縁部３ａ、４ａ、５１ａ、５２ａは、着用者の足を入れるための開口を形成する。また、足裏部２、つま先部３、踵部４、第１及び第２側部５１，５２は一体的に作製されてもよいし、縫合によって一体化されてもよい。なお、図２における点線は、足裏部２、踵部４及び側部５の間の境界を仮想的に示す。また、靴下１は、全体として任意の方向に伸縮性に富むように、例えばメリヤス編みによって作製されている。
【００１３】
具体的には、足裏部２は、着用者の足裏を覆う部分であり、着用者の足裏のサイズ（長さ及び幅）よりも小さく作製されている。
【００１４】
つま先部３は、着用者のつま先を覆う部分であり、本実施形態では、着用者の親指を収容する第１つま先部３１と、着用者の残りの指を収容する第２つま先部３１と、を含む。つま先部３は、着用者の足の甲を覆ってもよい。
【００１５】
踵部４は、着用者の踵を覆う部分である。踵部４の内側面には、踵部４が着用者の足裏の方向へ移動しないように、第１滑止め部６１が塗着されている。第１滑止め部６１は、例えばシリコンゴムなどの粘弾性樹脂で形成されている。本実施形態において、第１滑止め部６１は、踵部４の上縁部４ａに沿う縦２ｃｍ、横４ｃｍほどの領域内に位置し、この領域において一定の割合（例えば２５％−５０％）を占めている。第１滑止め部６１は、図１では、３本の直線状の粘弾性樹脂を縦方向に若干の間隔を空けて形成されているが、滑止めの機能を果たす限り任意の形態を取ってよく、例えば波線状や破線状を呈していてもよいし、例えば「＋」、「Ｘ」、ドットなどの模様を上記領域内に塗着して形成されてもよい。また、着色した粘弾性樹脂を、ロゴマークなどの一定の形態を取るように塗着してもよい。
【００１６】
側部５を構成する第１および第２側部５１，５２は、着用者の踝より下方の左右側部を覆うとともに、つま先部３と踵部４とを繋ぐ部分である。また、側部５（５１，５２）は、図２に示すように、着用者の足Ｆの踝を露出させるほどの（足裏部２からの）高さをもつ。
【００１７】
第１及び第２側部５１，５２のそれぞれの内側面には、第１及び第２側部５１，５２がつま先の方向へ移動しないように、第２及び第３滑止め部６２，６３が塗着されている。本実施形態において、第２及び第３滑止め部６２，６３は、靴下１の着用時に着用者の踝の下方に位置するように塗着されているが、つま先方向への移動を更に抑制する観点から、足裏部２にまで及ぶように塗着されてもよい。なお、第２及び第３滑止め部６２，６３の両方が、着用者の踝の下方に相当する位置に塗着され、又は足裏部２に及ぶように塗着される場合のほか、第２及び第３滑止め部６２，６３の一方が、着用者の踝の下方に相当する位置に塗着され、又は足裏部２に及ぶように塗着されてもよい。
【００１８】
第２及び第３滑止め部６２，６３は、第１滑止め部と同様に、シリコンゴムなどの粘弾性樹脂で形成されている。本実施形態において、第２及び第３滑止め部６２，６３は、第１及び第２側部５１，５２の上縁部５１ａ，５２ａに沿う縦２ｃｍ、横４ｃｍほどの領域内に位置し、この領域において一定の割合（例えば２５％−５０％）を占めている。第２及び第３滑止め部６２，６３のそれぞれは、図１では、３本の直線状の粘弾性樹脂を縦方向に若干の間隔を空けて形成されているが、滑止めの機能を果たす限り任意の形態を取ってよく、例えば波線状や破線状を呈していてもよいし、例えば「＋」、「Ｘ」、ドットなどの模様を上記領域内に塗着して形成されてもよい。また、着色した粘弾性樹脂を、ロゴマークなどの一定の形態を取るように塗着してもよい。
＜靴下の着用＞  
上述した靴下１を着用するとき、着用者は、上縁部３ａ、４ａ、５１ａ、５２ａによって形成された開口に足先を入れ、親指をつま先部３の第１つま先部３１に、残りの足指を第２つま先部３２に挿入する。これによって、つま先部３が着用者の足指に対して移動しにくくなる。そして、踵部４を着用者の踵の方向へ引っ張ることで靴下１を伸長させて、踵部４を着用者の踵に掛けることで、踵部４の内側面に形成されている第１滑止め部６１が着用者の踵に密着する。すると、第１滑止め部６１と着用者の踵との間に生ずる摩擦力によって、踵部４が着用者の足裏の方向に移動することが抑制される。
【００１９】
また、第１及び第２側部５１，５２は、靴下１の着用時において、着用者の踝の下方の左右側面に密着する。したがって、第１及び第２側部５１，５２の内側面にそれぞれ塗着された第２及び第３滑止め部６２，６３は、着用者の足の側面に当接する。よって、第１及び第２側部５１，５２と足裏部２とは、第２及び第３滑止め部６２，６３と着用者の足との間に生ずる摩擦力によって、つま先の方向に移動しにくくなる。このように第１及び第２側部５１，５２と足裏部２とのつま先の方向への移動が抑制される結果、踵部４の足裏方向への移動もまた抑制される。
【００２０】
例えば着用者が靴を履いているとき、靴の内側面と靴下１の外側面との間に生ずる摩擦力によって、着用者の足と靴下１との間にズレが生じる。例えば、靴下１の足裏部２が着用者のつま先の方向に移動しようとしたり、踵部４が足裏の方に移動しようとしたりする。このとき、第２及び第３滑止め部６２，６３は、側部５（５１，５２）及び足裏部２のつま先方向への移動を抑制し、また、第１滑止め部６１は踵部４の足裏方向への移動を抑える。したがって、靴下１は着用者の足から離脱しにくい。
【００２１】
前述したように、踵部４の内側面には、粘弾性樹脂で形成された第１滑止め部６１が塗着されている。また、第１及び第２側部５１，５２のそれぞれの内側面には、粘弾性樹脂で形成された第２及び第３滑止め部６２，６３が塗着されている。したがって、第２及び第３滑止め部６２，６３と着用者の足の左右側部との間の摩擦力によって、第１及び第２側部５１，５２並びに足裏部２がつま先方向に移動することが抑制されるとともに、第１滑止め部６１と着用者の踵との間の摩擦力によって、踵部４が足裏の方向に移動することも抑制されるため、靴下１が着用者の足から離脱しにくい。
【００２２】
また、第２及び第３滑止め部６２，６３のうち少なくとも一方を、着用者の踝の下方に相当する位置に塗着することによって、第２及び第３滑止め部６２，６３は着用者の足の側面に確実に接触し、第２及び第３滑止め部６２，６３と着用者の足の側面との間の摩擦力が増すから、靴下１が着用者の足から離脱しにくい。
【００２３】
第２及び第３滑止め部６２，６３のうち少なくとも一方を、足裏部に及ぶように塗着することで、第２及び第３滑止め部６２，６３が着用者の足に確実に密着するから、靴下１が着用者の足から離脱しにくい。
【００２４】
つま先部３が、着用者の親指を収容する第１つま先部３１と、着用者の残りの指を収容する第２つま先部３２と、を含むことで、つま先部３と着用者の足先との相対的な移動が抑制され、それに伴って、足裏部２と側部５とがつま先の方向に移動することが抑制されるから、靴下１が着用者の足から離脱しにくい。
【００２５】
なお、本実施形態は、本考案の理解を容易にするためのものであり、本考案を限定して解釈するためのものではない。例えばつま先部を、親指を収納する部分と他の指を収納する部分とを分けることなく１つのつま先部とするなど、本考案は、その趣旨を逸脱することなく、変更、改良され得るとともに、本考案にはその等価物も含まれる。また、一足の靴下は左右対称である必要はない。
【符号の説明】
【００２６】
１  靴下
２  足裏部
３  つま先部
４  踵部
５（５１，５２）  側部
６１−６３  第１ないし第３滑止め部
【図１】
0003194695.tif 000003
【図２】
0003194695.tif 000004